(57)【要約】【課題】内視鏡の挿入部の先端部を保護しつつ、挿入部の挿入性及び抜去性を向上させた内視鏡用ガイドチューブを提供する。【解決手段】  内視鏡用ガイドチューブ４は、内視鏡２の細長の挿入部５が挿通可能で、可撓性を有するチューブ部材４ｃと、挿入部５の先端部５ａが挿入されて、先端部５ａを保護するパイプ部材４ａと、先端部分がパイプ部材４ａの基端部に接続され、基端部分の一部がチューブ部材４ｃの先端側から挿入可能に構成され、チューブ部材４ｃの長手軸方向において伸縮可能でかつ弾発性を有するコイル部４ｂと、を有する。【選択図】図２
2020008649.tif 000002
【特許請求の範囲】
【請求項１】
内視鏡の細長の挿入部が挿通可能で、可撓性を有するチューブ部材と、
前記挿入部の先端部が挿入されて、前記先端部を保護する保護パイプ部材と、
先端部分が前記保護パイプ部材の基端部に接続され、基端部分の一部が前記チューブ部材の先端側から挿入可能に構成され、前記チューブ部材の長手軸方向において伸縮可能でかつ弾発性を有する螺旋部材と、
を有する、ことを特徴とする内視鏡用ガイドチューブ。
【請求項２】
前記チューブ部材の外径をｄａ１、前記チューブ部材の内径をｄａ２、前記保護パイプ部材の外径をｄａ３、及び前記螺旋部材の外径をｄａ４としたとき、ｄａ４＜ｄａ２＜ｄａ３＜ｄａ１の関係を有することを特徴とする請求項１に記載の内視鏡用ガイドチューブ。
【請求項３】
前記チューブ部材を、前記挿入部に対して固定するための固定部をさらに有する、ことを特徴とする請求項１に記載の内視鏡用ガイドチューブ。
【請求項４】
前記螺旋部材は、前記挿入部を固定する固定部を有する、ことを特徴とする請求項１に記載の内視鏡用ガイドチューブ。
【請求項５】
前記チューブ部材は、前記チューブ部材の前記長手軸方向における、前記螺旋部材に対しての移動を規制する移動規制部を有する、ことを特徴とする請求項１に記載の内視鏡用ガイドチューブ。
【請求項６】
前記チューブ部材の先端側部分は、前記チューブ部材の基端側部分よりも厚さの薄い部分を有している、ことを特徴とする請求項１に記載の内視鏡用ガイドチューブ。
【請求項７】
前記チューブ部材は、先端側部分に、螺旋溝と、前記螺旋溝に巻き付けられたコイルとを有する、ことを特徴とする請求項１に記載の内視鏡用ガイドチューブ。
【請求項８】
前記チューブ部材の基端側部分に固定されたコイルを有し、
前記コイルの先端は、前記チューブ部材の基端側部分に固定され、
前記コイルの基端は、前記挿入部に固定されている、ことを特徴とする請求項１に記載の内視鏡用ガイドチューブ。
【請求項９】
前記螺旋部材を、前記チューブ部材に付けられた曲げ癖の曲げ方向と同じ方向へ湾曲させる湾曲機構を有する、ことを特徴とする請求項１に記載の内視鏡用ガイドチューブ。
【請求項１０】
前記チューブ部材と、他の内蔵物が挿通可能な別のチューブ部材を有する、ことを特徴とする請求項９に記載の内視鏡用ガイドチューブ。
【請求項１１】
前記チューブ部材の先端側部分に形成された、前記チューブ部材の前記長手軸方向に沿って、前記長手軸方向に直交する方向に形成された複数のスリットと、
前記長手軸方向に対して前記複数のスリット側において、前記チューブ部材の前記複数のスリットより基端側部分と、前記保護パイプ部材とを固定する、可撓性を有する板部材を有する、ことを特徴とする請求項１に記載の内視鏡用ガイドチューブ。
【請求項１２】
前記保護パイプ部材は、前記挿入部の前記先端部を前記保護パイプ部材の先端面から突出させない規制部を有する、ことを特徴とする請求項１に記載の内視鏡用ガイドチューブ。
【請求項１３】
前記保護パイプ部材と前記螺旋部材は、螺旋管である、ことを特徴とする請求項１に記載の内視鏡用ガイドチューブ。
【請求項１４】
前記保護パイプ部材は、軟性部材である、ことを特徴とする請求項１に記載の内視鏡用ガイドチューブ。
【請求項１５】
前記保護パイプ部材の内周面には、黒色の塗料が塗布されている、ことを特徴とする請求項１に記載の内視鏡用ガイドチューブ。
【請求項１６】
前記保護パイプ部材は、先端方向に向かって内径が大きくなるように広がった形状を有する、ことを特徴とする請求項１に記載の内視鏡用ガイドチューブ。
【発明の詳細な説明】
【技術分野】
【０００１】
本発明は、内視鏡用ガイドチューブに関する。
【背景技術】
【０００２】
従来より、内視鏡が工業分野などで広く利用されている。内視鏡は、細長の挿入部を有し、挿入部の先端部には、観察窓と照明窓が設けられている。照明窓から出射された照明光が被検体内の検査部位に照射され、検査部位からの照明光の反射光が観察窓に入射する。観察窓に入射した被写体像は、撮像素子において光電変換されて、内視鏡画像が生成されて、表示装置に表示される。
【０００３】
挿入部は、被検体内に挿入されるが、検査部位が被検体内の奥にあるとき、ユーザは、挿入部を被検体内の奥まで進入させなければならない。例えば、管路内を検査する場合、挿入部は、管路の奥まで挿入される。
【０００４】
従って、内視鏡は、挿入部の挿入性が良いものが好ましい。例えば、日本国特開１−      ３２９号公報には、挿入性を向上させた内視鏡が提案されている。
【先行技術文献】
【特許文献】
【０００５】
【特許文献１】特開２０１１−１８６３２９号公報
【発明の概要】
【発明が解決しようとする課題】
【０００６】
しかし、検査部位が管路の奥にあって、かつ管路の曲がり角度が大きいとき、検査後に、ユーザは、挿入部を管路から引き抜き難くなったり、あるいは引き抜けなくなったりする場合がある。
【０００７】
また、被検体が例えば鋳物の配管のようなものであるとき、管路の内壁には、細かな凹凸があるため、挿入部の外周部が管路の内壁の凹凸に引っ掛かったり、挿入部の外周部と管路の内壁との間の摩擦抵抗が大きくなってしまって、挿入部が、被検体の中から引き抜き難くなったり、被検体の中から引き抜けなくなったりする虞もある。
【０００８】
さらに、管路の内壁の凹凸によっては、傷が挿入部の先端部の外周面に付いたりする場合もある。
【０００９】
そこで、本発明は、内視鏡の挿入部の先端部を保護しつつ、挿入部の挿入性及び抜去性を向上させた内視鏡用ガイドチューブを提供することを目的とする。
【課題を解決するための手段】
【００１０】
本発明の一態様の内視鏡用ガイドチューブは、内視鏡の細長の挿入部が挿通可能で、可撓性を有するチューブ部材と、前記挿入部の先端部が挿入されて、前記先端部を保護する保護パイプ部材と、先端部分が前記保護パイプ部材の基端部に接続され、基端部分の一部が前記チューブ部材の先端側から挿入可能に構成され、前記チューブ部材の長手軸方向において伸縮可能でかつ弾発性を有する螺旋部材と、を有する。
【発明の効果】
【００１１】
本発明によれば、内視鏡の挿入部の先端部を保護しつつ、挿入部の挿入性及び抜去性を向上させた内視鏡用ガイドチューブを提供することができる。
【図面の簡単な説明】
【００１２】
【図１】本発明の第１の実施の形態に関わる内視鏡装置の構成を示す構成図である。
【図２】本発明の第１の実施の形態に関わるガイドチューブの斜視図である。
【図３】本発明の第１の実施の形態に関わる、光学アダプタの挿入部への取り付け方法を説明するための図である。
【図４】本発明の第１の実施の形態に関わる、光学アダプタが装着された挿入部の先端部分に、ガイドチューブを装着したときの、挿入部の先端部分の断面図である。
【図５】本発明の第１の実施の形態に関わる、光学アダプタが装着された挿入部の先端部分に、ガイドチューブを装着したときの、挿入部の先端部分の側面図である。
【図６】本発明の第１の実施の形態に関わる、挿入部を被検体内に挿入しているときの、ガイドチューブの動きを説明するための図である。
【図７】本発明の第１の実施の形態に関わる、挿入部を被検体内から引き抜くときの、ガイドチューブの動きを説明するための図である。
【図８】本発明の第１の実施の形態の変形例１に関わる、チューブ部材の基端部の斜視図である。
【図９】本発明の第１の実施の形態の変形例２に関わるガイドチューブの斜視図である。
【図１０】本発明の第１の実施の形態の変形例３に関わるガイドチューブの斜視図である。
【図１１】本発明の第１の実施の形態の変形例４に関わるガイドチューブの斜視図である。
【図１２】本発明の第１の実施の形態の変形例５に関わるガイドチューブの斜視図である。
【図１３】本発明の第１の実施の形態の変形例６に関わるガイドチューブの斜視図である。
【図１４】本発明の第２の実施の形態に関わるガイドチューブが装着された挿入部の斜視図である。
【図１５】本発明の第２の実施の形態に関わる、ワイヤーが基端方向に引かれたときの、ガイドチューブの先端保護部の状態を示す図である。
【図１６】本発明の第２の実施の形態の変形例７に関わるワイヤーが基端方向に引かれたときの、ガイドチューブの先端保護部の状態を示す図である。
【図１７】本発明の第３の実施の形態に関わるガイドチューブの斜視図である。
【図１８】本発明の第３の実施の形態に関わるガイドチューブが被検体内に挿入された状態を示す図である。
【図１９】本発明の第４の実施の形態に関わるガイドチューブの斜視図である。
【図２０】本発明の第４の実施の形態に関わる、第１のパイプ部が、内径方向に突出する爪を有するガイドチューブの斜視図である。
【図２１】本発明の各実施の形態の変形例８に関わる、パイプ部材とコイル部の斜視図である。
【図２２】本発明の各実施の形態の変形例８に関わる、パイプ部材とコイル部の部分断面図である。
【図２３】本発明の各実施の形態の変形例９に関わる、ガイドチューブの斜視図である。
【図２４】本発明の各実施の形態の変形例１０に関わるパイプ部材とコイル部の部分斜視図である。
【図２５】本発明の各実施の形態の変形例１１に関わるパイプ部とコイル部の部分斜視図である。
【発明を実施するための形態】
【００１３】
以下、図面を参照して本発明の実施の形態を説明する。  
なお、以下の説明に用いる各図においては、各構成要素を図面上で認識可能な程度の大きさとするため、構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
（第１の実施の形態）
図１は、本発明の実施の形態に関わる内視鏡装置の構成を示す構成図である。
図１に示すように、内視鏡装置１は、内視鏡２と、内視鏡２に接続された本体装置３と、ガイドチューブ４とにより主要部が構成されている。ガイドチューブ４は、内視鏡２の挿入部５の外周部を覆うように装着される。
内視鏡２は、細長で可撓性を有する挿入部５と、挿入部５の基端部に接続された操作部６と、操作部６から延出された可撓性を有するユニバーサルコード７とにより主要部が構成されている。
【００１４】
操作部６は、レリーズボタンなどの各種操作ボタンと、挿入部５の湾曲部５ｂの湾曲操作用のジョイスティック６ａとを有している。
挿入部５は、挿入部５の先端から順に、硬質な先端部５ａと、湾曲部５ｂと、可撓性部材にて形成された長尺な可撓管部５ｃとが連設されており、可撓管部５ｃの基端部が操作部６に接続されて構成されている。湾曲部５ｂは、操作部６のジョイスティック６ａの傾倒操作に応じて、例えば上下／左右方向に湾曲する。
光学アダプタ８が、先端部５ａの先端面に装着可能となっている。光学アダプタ８は、アダプタ本体８ａと、取り付け部８ｂとを有している。円柱形のアダプタ本体８ａの先端面には、観察窓９と、照明部１０が配設されている。
【００１５】
撮像光学系の一部を構成するレンズなどが、観察窓９の後ろ側に配設されている。  
照明部１０は、観察窓９を囲むように配設された複数の照明窓からなる。各照明窓の後ろ側には、光ファイバ束の一部の先端面が配置されている。挿入部５内には、光ファイバ束のライトガイド（図示せず）が挿通されている。
【００１６】
光学アダプタ８の内にも、ライトガイドが設けられている。挿入部５の先端部５ａからの照明光を受光する受光面が、光学アダプタ８の基端面に配設されている。
【００１７】
光学アダプタ８内のライトガイドの先端部は、複数の照明窓に対応して、複数に分岐している。すなわち、光学アダプタ８内のライトガイドは、基端部は、１つで、先端部は、複数に分岐している。ライトガイドの先端部の分岐した各ライトガイドは、照明窓の後ろに配置される。
【００１８】
本体装置３は、内部に光源を有し、その光源の発する光が、照明光として、ライトガイドの基端面に入射される。その結果、照明光は、観察窓９の周囲の領域から被検体に照射される。
【００１９】
取り付け部８ｂは、アダプタ本体８ａの基端部に設けられている。取り付け部８ｂは、円筒形状を有し、取り付け部８ｂの基端側から、円筒の中央の孔に、挿入部５の先端部５ａが挿入可能となっている。
【００２０】
取り付け部８ｂの内周面には、雌ネジ部が形成され、先端部５ａの先端側の外周面には、雄螺子部が形成されている。先端部５ａの雄螺子部を、取り付け部８ｂの雌ネジ部に螺合することにより、光学アダプタ８は、挿入部５の先端部５ａに装着される。
【００２１】
検査者は、検査対象に応じて、光学アダプタ８を選定し、先端部５ａに装着する。  
挿入部５の先端部５ａは、内部に、撮像光学系の一部と、撮像素子とを有する。
【００２２】
光学アダプタ８が先端部５ａに装着されると、先端部５ａからの照明光が、光学アダプタ８の光ファイバ束に入射し、各照明窓から照明光が出射される。
【００２３】
光学アダプタ８が先端部５ａに装着されると、光学アダプタ８内のレンズなどと、先端部５ａ内のレンズなどにより、撮像光学系が形成される。
操作部６から延出したユニバーサルコード７の端部が接続された本体装置３は、例えば箱状を有しており、外装筐体により覆われた内部には、画像処理用のＣＰＵ等の電気部品や、上述した光源に電源を供給する図示しないバッテリユニット、内視鏡画像を記録する記憶装置等が配設されている。
また、内視鏡２の撮像素子により撮像された内視鏡画像を表示するモニタ３ａが、本体装置３の外装筐体に対して開閉自在に固定されている。尚、モニタ３ａは、外装筐体に対し着脱自在であっても構わない。
【００２４】
ユーザは、操作部６のレリーズボタンを操作することによって、撮像ユニットにより被写体像の画像を、本体装置３の記憶装置に記録することができる。
【００２５】
図２は、ガイドチューブ４の斜視図である。  
ガイドチューブ４は、パイプ部材４ａと、コイル部４ｂと、チューブ部材４ｃとを有する。
【００２６】
パイプ部材４ａは、ステンレスなどの金属製であり、第１の外径を有する第１のパイプ部４ａ１と、第１のパイプ部４ａ１の基端側に設けられた第２のパイプ部４ａ２とを有する。
【００２７】
第１のパイプ部４ａ１の外径は、第２のパイプ部４ａ２の外径よりも大きい。第１のパイプ部４ａ１の内径も、第２のパイプ部４ａ２の内径よりも大きい。
【００２８】
第１のパイプ部４ａ１の内径は、挿入部５の先端部５ａに装着される光学アダプタ８の外径よりも大きく、第１のパイプ部４ａ１は、光学アダプタ８が第１のパイプ部４ａ１の内側空間に収容される大きさを有する。
【００２９】
また、第２のパイプ部４ａ２の内径は、内視鏡２の挿入部５が第２のパイプ部４ａ２の内側に挿通可能なサイズである。  
すなわち、パイプ部材４ａは、挿入部５の先端部５ａが挿入されて、先端部５ａを保護する保護パイプ部材である。
コイル部４ｂは、ステンレスなどの金属製の平板部材を、螺旋状に疎巻きにして形成されたコイルである。
【００３０】
なお、コイル部４ｂは、金属製の平板部材の厚さが薄くかつ幅も小さければ、密巻きコイルでもよい。  
さらになお、コイル部４ｂは、平板部材の螺旋管ではなくは、断面が円形の部材の螺旋状のコイルでもよい。
さらに、コイル部４ｂは、そのコイル部４ｂの内径がパイプ部材４ａの第２のパイプ部４ａ２の外径より小さいコイルでもよい。その場合、コイル部４ｂは、コイル部４ｂの内径を広げるようにコイル部４ｂの軸周りに捻るようにして第２のパイプ部４ａ２に装着される。
【００３１】
コイル部４ｂの内径は、パイプ部材４ａの第２のパイプ部４ａ２の外径よりもわずかに小さいが、コイル部４ｂを捻ることによって、コイル部４ｂの先端部分を、パイプ部材４ａの第２のパイプ部４ａ２に被せるように、第２のパイプ部４ａ２に固定される。
【００３２】
凸部４ｘが、第２のパイプ部４ａ２の外周部に形成されており、コイル部４ｂの先端部分の一部が、凸部４ｘに引っ掛かることによって、コイル部４ｂが第２のパイプ部４ａ２から、基端方向に抜けないようになっている。
【００３３】
コイル部４ｂは、長手軸方向において、伸縮可能で、かつ弾発性を有する。よって、長手軸方向において外力がコイル部４ｂに加わると、長手軸方向において伸縮する。また、長手軸に直交する方向から外力がコイル部４ｂに加わると、長手軸に直交する方向に湾曲する。
コイル部４ｂの基端部分は、チューブ部材４ｃの先端側から挿入可能な外径を有する。
【００３４】
なお、コイル部４ｂは、先端から基端に向かって外径が小さくなるように形成されていてもよい。
以上のように、コイル部４ｂは、先端部分がパイプ部材４ａの基端部に接続され、基端部分の一部がチューブ部材４ｃの先端側から挿入可能に構成され、長手軸方向において伸縮可能でかつ弾発性を有する螺旋部材である。
チューブ部材４ｃは、ウレタンなどの樹脂製の可撓性を有するチューブである。ここでは、チューブ部材４ｃは、表面に凹凸のない透明なチューブである。
【００３５】
図３は、光学アダプタ８の挿入部５への取り付け方法を説明するための図である。図３は、光学アダプタ８と、挿入部５と、ガイドチューブ４の断面を示す。  
チューブ部材４ｃを挿入部５に被せるように、チューブ部材４ｃ内に挿入部５が挿入される。次に、コイル部４ｂの基端から挿入部５の先端部５ａをガイドチューブ４に挿入して、先端部５ａをパイプ部材４ａの先端側に突出させる。
【００３６】
すなわち、チューブ部材４ｃは、内視鏡２の細長の挿入部５が挿通可能で、可撓性を有している。
図３に点線の矢印で示すように、光学アダプタ８が、パイプ部材４ａの先端側から突出した先端部５ａに装着される。
【００３７】
ここでは、ガイドチューブ４を装着した挿入部５の挿入性及び抜去性を考慮し、図３に示すように、チューブ部材４ｃの外径をｄａ１、前記チューブ部材の内径をｄａ２、パイプ部材４ａの外径をｄａ３、及び前記螺旋部材の外径をｄａ４としたとき、ｄａ４＜ｄａ２＜ｄａ３＜ｄａ１の関係を有する。
【００３８】
光学アダプタ８は、パイプ部材４ａの第１のパイプ部４ａ１の内側に入り込む。  
図４は、光学アダプタ８が装着された挿入部５の先端部分に、ガイドチューブ４を装着したときの、挿入部５の先端部分の断面図である。図５は、光学アダプタ８が装着された挿入部５の先端部分に、ガイドチューブ４を装着したときの、挿入部５の先端部分の側面図である。
【００３９】
図４及び図５に示すように、光学アダプタ８は、第１のパイプ部４ａ１内に収容される、チューブ部材４ｃは、挿入部５の長手軸方向に沿って移動可能であり、図４及び図５では、チューブ部材４ｃの先端面と、第２のパイプ部４ａ２の基端面との間は、距離Ｌｘだけ離れている。
【００４０】
コイル部４ｂは、点線の矢印Ｌ１で示すように、挿入部５の長手軸方向において、伸縮可能である。  
また、図４及び図５の状態の場合、チューブ部材４ｃ内においては、コイル部４ｂは自由に移動可能であるが、チューブ部材４ｃの先端開口４ｃ１から距離Ｌｘだけ飛び出ている部分は、点線の矢印Ｌ２で示すように、挿入部５の長手軸に直交する方向において、大きく揺動可能となっている。
【００４１】
さらに、第１のパイプ部４ａ１の外径ｄａ３は、チューブ部材４ｃの内径ｄａ２よりも大きい。よって、チューブ部材４ｃの先端部分は、挿入部５の先端方向に移動可能であるが、第２のパイプ部４ａ２までしか覆うことができず、第１のパイプ部４ａ１を覆うことはできない。
（作用）
次に、上述したガイドチューブ４の作用について説明する。  
内視鏡２を被検体内に挿入するときの、ガイドチューブ４の作用について、説明する。
【００４２】
図６は、挿入部５を被検体内に挿入しているときの、ガイドチューブ４の動きを説明するための図である。図６において、矢印Ｓは、挿入部５の挿入方向を示す。
【００４３】
挿入部５を被検体内に挿入するとき、チューブ部材４ｃの先端部とパイプ部材４ａの基端との間は、距離Ｌｘだけ離れる状態にする。距離Ｌｘは、例えば、数ｍｍである。
【００４４】
検査者は、モニタ３ａに表示された内視鏡画像を見ながら、操作部６のジョイスティック６ａを傾倒させることにより湾曲部５ｂを所望の方向に湾曲させて、先端部５ａを、被検体内の奥へ進める。
【００４５】
被検体が、曲がり角度が大きい管路であったり、被検体の内壁に凹凸があったりしても、コイル部４ｂにより、パイプ部材４ａは、挿入部５の長手軸方向において伸縮すると共に、挿入部５の長手軸に直交する方向に揺動する。検査者は、湾曲部５ｂを湾曲させながら、挿入部５を押し込むことにより、先端部５ａを管路の奥へ進めることができる。
【００４６】
チューブ部材４ｃは、可撓性を有するので、湾曲部５ｂの湾曲に応じて、チューブ部材４ｃも曲がるため、チューブ部材４ｃの外周面が被検体の内壁に対して滑るようにして、被検体内に挿入することができる。
【００４７】
よって、パイプ部４ａ１の先端部分が、図６の点Ｐ１で示すような内壁の凹凸部に突き当たっても、コイル部４ｂが、図６の点線で示すＬ１方向に縮んだり、Ｌ２方向に曲がったりしたりするので、パイプ部４ａ１の基端部分は、内壁の凹凸部に突き当たっても、外れ易い。
【００４８】
検査者が所望の部位を検査するときは、必要に応じて、湾曲部５ｂをチューブ部材４ｃの先端からさらに突出させたりして、湾曲部５ｂを湾曲させて、先端部５ａを検査部位に向けることにより、行うことができる。  
検査が終了後、内視鏡２を被検体内から引き抜く。
【００４９】
図７は、挿入部５を被検体内から引き抜くときの、ガイドチューブ４の動きを説明するための図である。図７において、矢印Ｂは、挿入部５の引き抜き方向を示す。
【００５０】
挿入部５を被検体内から引き抜くときも、チューブ部材４ｃの先端部とパイプ部材４ａの基端が離れた状態にする。図７でも、挿入部５を被検体内に挿入するときと同様に、チューブ部材４ｃの先端面は、第２のパイプ部４ａ１の基端面から距離Ｌｘだけ基端側に離れている。
【００５１】
検査者は、モニタ３ａに表示された内視鏡画像を見ながら、挿入部５をチューブ部材４ｃと共に、引き抜く。  
被検体が、曲がり角度が大きい管路であったり、被検体の内壁に凹凸があったりしても、コイル部４ｂにより、パイプ部材４ａは、挿入部５の長手軸方向において伸縮すると共に、挿入部５の長手軸に直交する方向に揺動する。
【００５２】
よって、パイプ部４ａ１の基端部分が、図７の点Ｐ２で示すような内壁の凹凸部に引っ掛かっても、コイル部４ｂが、図７の点線で示すＬ１方向に伸びたり、Ｌ２方向に曲がったりしたりするので、パイプ部４ａ１の基端部分は、内壁の凹凸部に引っ掛かっても、外れ易い。
【００５３】
また、チューブ部材４ｃの外周面が被検体の内壁に対して滑るようにして、被検体内から、挿入部５を引き抜くことができる。  
よって、上述した実施の形態によれば、挿入部５の挿入性及び抜去性を向上させた内視鏡用ガイドチューブを提供することができる。
【００５４】
特に、ガイドチューブ４のパイプ部材４ａは、コイル部４ｂにより、挿入部５の長手軸方向及び長手軸に直交する方向において動きやすいため、曲率が大きい管路であっても、挿入部５の挿入性及び抜去性を向上させることができる。
【００５５】
さらに、先端部５ａ、湾曲部５ｂ及び可撓管部５ｃは、パイプ部材４ａにより保護されているので、挿入部５を挿入するとき、及び抜去するとき、挿入部５に傷がつくことが防止される。
【００５６】
特に、内壁に凹凸がある鋳物などでできた螺旋状の管路、例えば、羽根車を収容する渦巻き室を有する渦巻きポンプなどの被検体などであっても、挿入部５を、容易に挿入し、かつ引き抜くこともできる。
【００５７】
なお、上述した例では、図６に示すように、チューブ部材４ｃの先端部をパイプ部４ａ２の基端部から離した状態で、挿入部５は被検体内へ挿入されている。しかし、被検体によっては、チューブ部材４ｃの先端部をパイプ部４ａ１の基端部に突き当てた状態で、挿入部５は被検体内へ挿入するようにしてもよい。
【００５８】
さらになお、上述した実施の形態では、挿入部５は、湾曲部５ｂを有しているが、内径が小さな配管内を検査する場合は、挿入部５は、湾曲部５ｂを有していなくてもよい。
また、パイプ部４ａ２の外径よりも若干小さい内径を有するコイル部４ｂをコイル部４ｂの内径を広げるように捻って、パイプ部４ａ２に被せることでパイプ部４ａ２におけるコイル部４ｂの外径をチューブ部材４ｃの内径よりも大きくするように設定するようにしてもよい。その場合、コイル部４ｂの素線の厚みをΔｔとしたとき、パイプ部４ａ２とコイル部４ｂは、ｄａ２＜パイプ部４ａ２の外径＋２Δｔのサイズの関係を有する。
前述したものは、チューブ部材４ｃの内部にコイル部４ｂを挿通しているが、チューブ部材４ｃが樹脂で、チューブ部材４ｃとコイル部４ｂの間には、摺動抵抗が存在する。その摺動抵抗により、チューブ部材４は、コイル部４ｂを、適当な所で留めているが、コイル部４ｂにある程度の力がかかると長手方向に摺動する。
これに対して、コイル部４ｂの素線の厚みをｄａ２＜パイプ部４ａ２の外径＋２Δｔの関係になるように設定することでチューブ部材４ｃ内部にパイプ部４ａ２が入り込むことなく、確実にチューブ部材端面から距離Ｌｘ離れるようにできる。その結果、チューブ部材４ｃ内にパイプ部材４ａが入り込むことがなくなるので、パイプ部材４ａの動きがチューブ部材４ｃによって規制されず、パイプ部材４ａの動きの自由度が確保され、被検体に引っ掛かることが少なくなる。
さらにまた、パイプ部４ａ１の内側に凸部を設けて、光学アダプタ８ａに凸部が押し当てられて装着するようにしても良い。
さらに、パイプ部４ａ１の内面に摩擦を増やすようなゴム部材を貼り付けて、光学アダプタ８ａにゴム部材を接触させて摩擦力で固定するようにしても良い。パイプ部４ａ１の内部に光学アダプタ８ａが収納されると、光学アダプタ８ａがゴム部材によりパイプ部４ａ１の外に出にくくなり、ガイドチューブを操作している間、先端部５ａが確実にパイプ部４ａ１に収納され、被検体との接触による削れなどによる傷が付くことが防止される。
さらに、コイル部材４ｂの内径の少なくとも基端側を内視鏡の挿入部５の外径よりも細い形状でコイル部材４ｂの長さを湾曲部５ｂの長さよりも長く設定して、コイル部４ｂの内径を広げるように捻って挿入部５に装着、固定する構造でも良い。このような構成によれば、確実に光学アダプタ８をパイプ部材４ａに装着、湾曲部５ｂの外側にコイル部４ｂを装着できると共に、先端の光学アダプタ８と湾曲部５ｂを保護することができる。よって、チューブ部材４ｃから内視鏡の突出する長さがある程度長くなっても、先端側の光学アダプタ８と湾曲部５ｂがパイプ部材４ａとコイル部４ｂで保護されて、被検体との接触による削れなどのダメージを受けることが少なくなる。
以上のように、上述した実施の形態によれば、内視鏡の挿入部の先端部を保護しつつ、挿入部の挿入性及び抜去性を向上させた内視鏡用ガイドチューブを提供することができる。
【００５９】
次に、本実施の形態の変形例について説明する。  
各変形例において、上述した実施の形態及び他の変形例の構成要素と同じ構成要素については、同じ符号を付して説明は省略し、異なる構成要素のみについて説明する。
【００６０】
（変形例１）
第１の実施の形態では、チューブ部材４ｃは、内視鏡２の挿入部５に挿通されているだけであるが、チューブ部材４ｃに、チューブ部材４ｃを挿入部５に対して固定するための固定部を設けてもよい。すなわち、本変形例１の内視鏡用ガイドチューブは、チューブ部材４ｃの基端部に、チューブ部材４ｃを挿入部５に対して固定する固定部を有する。
【００６１】
図８は、本変形例１に関わる、チューブ部材４ｃの基端部の斜視図である。  
チューブ部材４ｃの基端部には、挿入部５をチューブ部材４ｃに対して固定するための固定部２１が設けられている。  
固定部２１は、チューブ部材４ｃの基端部に接続され、把持部２２と、回動部２３と、回動部２３の基端側に設けられた折れ止め部２４とを有して構成されている。
【００６２】
把持部２２は、円筒形状を有し、樹脂あるいはステンレス等の金属からなる。把持部２２には、チューブ部材４ｃの基端部が螺子あるいは接着剤などで固定されている。
【００６３】
把持部２２の基端側には、外周部に雄螺子部２２ａが形成されている。雄螺子部２２ａのさらに基端側には、互いに間隔を持って形成された複数の延出部２２ｂが設けられている。
【００６４】
回動部２３は、円筒形状を有し、樹脂あるいはステンレス等の金属からなる。回動部２３の先端側内周面には、雌螺子部２３ａが形成されており、把持部２２の雄螺子部２２ａと螺合可能となっている。
【００６５】
折れ止め部２４は、ステンレス等の金属の密巻きコイルであり、チューブ部材４ｃ内に挿入された挿入部５が応力を受けても、大きな角度で折れ曲がらないようにするための部材である。
【００６６】
雌螺子部２３ａと雄螺子部２２ａを螺合させて回動部２３を所定の方向に回動させると、複数の延出部２２ｂは、回動部２３の内壁により内側へ押圧される。よって、チューブ部材４ｃ内に挿通された挿入部５を軸方向に沿って動かないように固定するときは、ユーザは、回動部２３を所定の方向に回動させる。その結果、複数の延出部２２ｂによって、挿入部５の外周部が押圧されて、挿入部５は、チューブ部材４ｃに対して固定される。
【００６７】
ユーザが上記所定の方向とは逆方向に回動部２３を回動すると、複数の延出部２２ｂは、挿入部５の外周部を押圧しなくなるので、ユーザは、挿入部５をチューブ部材４ｃから引き抜くことができる。  
なお、把持部２２及び回動部２３は、ポリカーボネイト等の樹脂製でもよい。
【００６８】
例えば、検査者は、挿入部５を被検体内に挿入するときは、図５に示すように、光学アダプタ８をパイプ部４ａ１内に収容した状態で、固定部２１によりガイドチューブ４を挿入部に固定して、挿入部５を被検体内に挿入する。
【００６９】
また、検査者は、挿入部５を、被検体内から引き抜いたり、被検体内へ挿入するときは、図７に示すように、チューブ部材４ｃの先端部をパイプ部４ａ２の基端部から少し離した状態で、固定部２１によりガイドチューブ４を挿入部に固定して、挿入部５を、被検体内から引き抜いたり、被検体内へ挿入することができる。
【００７０】
その結果、検査者は、挿入部５を挿入するときなどにおいて、チューブ部材４ｃが挿入部５の長手軸方向に移動しないように、チューブ部材４ｃを手で抑える必要がない。
【００７１】
また、挿入部５の先端部５ａのパイプ部４ａ１からの突出量を固定できるので、配管の曲がり具合によって、その突出量を調整して固定することもできる。
（変形例２）
上述した変形例１では、挿入部５に対してチューブ部材４ｃを固定するための固定部２１が、チューブ部材４ｃに設けられているが、コイル部４ｂの基端部の内径を小さくすることに、挿入部５に対してコイル部４ｂを固定するようにしてもよい。
【００７２】
図９は、本変形例２に関わるガイドチューブ４Ａの斜視図である。  
本変形例２のガイドチューブ４Ａのコイル部４ｂは、互いに異なる内径を有する複数の、ここでは３つのコイル部を有する。
【００７３】
さらに、コイル部４ｂの長さは、図９に示すように、チューブ部材４ｃの長さよりも長い。  
第１のコイル部４ｂ１の基端に口金４ｄ１により第２のコイル部４ｂ２の先端が接続されている。第１のコイル部４ｂ１の基端と第２のコイル部４ｂ２の先端は、口金４ｄ１に溶接などにより接続されている。
【００７４】
第２のコイル部４ｂ２の基端に口金４ｄ２により第３のコイル部４ｂ３の先端が接続されている。第２のコイル部４ｂ２の基端と第３のコイル部４ｂ３の先端は、口金４ｄ２に溶接などにより接続されている。
【００７５】
第１のコイル部４ｂ１の内径は、第２のコイル部４ｂ２の内径よりも大きい。第２のコイル部４ｂ２の内径は、第３のコイル部４ｂ３の内径よりも大きい。  
第３のコイル部４ｂ３の内径は、挿入部５の外径よりもわずかに大きい。図９に示すように、挿入部５をガイドチューブ４Ａの基端から挿入することができる。
【００７６】
挿入部５の可撓管部５ｃは、可撓性を有するため、可撓管部５ｃが真直ぐな状態であれば、検査者は、可撓管部５ｃを、第３のコイル部４ｂ３内で進退させることができる。しかし、可撓管部５ｃが曲がると、可撓管部５ｃの外周部は第３のコイル部４ｂ３の内周面との摩擦により、進退し難くなる。
すなわち、螺旋部材であるコイル部４ｂは、挿入部５を固定する固定部としての第３のコイル部４ｂ３を有する。
【００７７】
よって、可撓管部５ｃは第３のコイル部４ｂ３において長手軸方向に略固定される。よって、ガイドチューブ４Ａは、挿入部５に対して、略固定されるので、ユーザは、検査をし易い。
（変形例３）
上述した実施の形態では、チューブ部材４ｃは、コイル部４ｂに対して固定されていなが、チューブ部材４ｃを、コイル部４ｂに対して固定できるようにしてもよい。
【００７８】
図１０は、本変形例３に関わるガイドチューブ４Ｂの斜視図である。  
本変形例３のガイドチューブ４Ｂのチューブ部材４ｃは、口金２５を有している。口金２５は、チューブ部材４ｃの基端部に接着剤などにより固定されている。口金２５には、固定用の螺子２６が、口金２５に設けられた孔に形成された螺子部に螺合している。
【００７９】
螺子２６を一方向に回すことにより、螺子２６の先端部は、口金２５の内径方向に突出させたり、螺子２６をその一方向とは反対方向に回すことにより、螺子２６の頭部を外径方向に突出させることができる。
【００８０】
螺子２６の先端部分の外径は、コイル部４ｂ１の長手軸方向における、コイル部４ｂ１を構成する螺旋状の隣り合う板状部材の間の隙間よりも小さい。  
螺子２６を回すことにより、コイル部４ｂ１の板状部材の隙間に配置させると、チューブ部材４ｃは、チューブ部材４ｃの長手軸方向の動きが規制される。すなわち、口金２５に設けられた螺子２６は、チューブ部材４ｃの長手軸方向における、コイル部４ｂ１に対しての移動を規制する移動規制部を構成する。
【００８１】
しかし、チューブ部材４ｃを軸周りに回動させると、螺子２６の先端部分が、板状部材の隙間に沿って移動することによって、チューブ部材４ｃは、チューブ部材４ｃの長手軸方向に動くことができる。
【００８２】
すなわち、ユーザは、チューブ部材４ｃ又は口金２５を、図１０の矢印Ａ１で示す方向に回動させることによって、チューブ部材４ｃを矢印Ａ２で示す方向に移動させることができる。
【００８３】
よって、ユーザは、チューブ部材４ｃ又は口金２５を軸周りに回動させることによって、パイプ部材４ａに対するチューブ部材４ｃの長手軸方向の位置を容易に調整することができる。
なお、チューブ部材４ｃのコイル部４ｂ１に対する固定は、チューブ部材４ｃの基端側の螺子２６の位置で行うものであり、チューブ部材４ｃの先端側はコイル部４ｂ１に対して固定されていない。そのため、コイル部４ｂ１の先端側は収縮することでチューブ部材４ｃに対して摺動できるため被検体に対してガイドチューブの先端が当たっても力が直接かからず、無理やり押し込んで引っ掛かるようなことが防げる。
（変形例４）
変形例３のチューブ部材４ｃは、全体に同じ厚さを有しているが、チューブ部材４ｃの先端側部分は、一部に基端側部分の厚さよりも薄い部分を有するようにしてもよい。
【００８４】
図１１は、本変形例４に関わるガイドチューブ４Ｃの斜視図である。  
本変形例４のガイドチューブ４Ｃは、変形例３のガイドチューブ４Ｂと略同じ構成を有している。但し、チューブ部材４ｃＡの先端側部分には、外周面に複数の周溝４ｃｘが形成されている。
【００８５】
これに対して、チューブ部材４ｃＡの先端側部分よりも基端側の部分は、周溝４ｃｘが形成されていない。  
外周面に複数の周溝４ｃｘが形成されているので、チューブ部材４ｃＡの先端側部分は、変形例３のチューブ部材４ｃよりも、曲がり易くなっている。  
よって、被検体が渦巻き状の配管などへの挿入性を向上させることができる。
【００８６】
なお、図１１では、複数の周溝４ｃｘがチューブ部材４ｃＡの先端側部分の外周面に形成されているが、複数の周溝４ｃｘに代えて、二点鎖線で示すように、螺旋溝をチューブ部材４ｃＡの先端側部分の外周面に形成してもよい。
（変形例５）
変形例４のチューブ部材４ｃＡの先端側部分は、一部に基端側部分の厚さよりも薄い部分を有しているが、チューブ部材の先端側部分に、螺旋溝に設け、その溝にコイルを巻き付けるようにしてもよい。
【００８７】
図１２は、本変形例５に関わるガイドチューブ４Ｄの斜視図である。  
本変形例５のガイドチューブ４Ｄは、変形例３のガイドチューブ４Ｂと略同じ構成を有している。但し、チューブ部材４ｃＢの先端側部分は、円筒部４ｃＢ１と、円筒部４ｃＢ１の基端に設けられた螺旋溝部４ｃＢ２を有する。弾性を有するステンレス製のコイル２７が、その螺旋溝部４ｃＢ２の谷部に巻き付けられている。
【００８８】
コイル部４ｂが、チューブ部材４ｃＢ内に挿通されている。  
チューブ部材４ｃＢの先端側の螺旋溝部４ｃＢ２は、基端部分に比べて柔軟で、挿入部５を挿入するときの被検体内の内壁との抵抗が低減するので、被検体が、例えば螺旋型の配管であるとき、挿入部５の被検体内への挿入性が向上する。
【００８９】
さらに、コイル２７があるため、チューブ部材４ｃＢの形状を維持され易い。
（変形例６）
変形例１では、チューブ部材４ｃを挿入部５に対して固定する固定部は、チューブ部材４ｃの基端部に設けられているが、ガイドチューブ４のパイプ部材４ａの先端部が被検体内の凸部などに突き当たったときに、挿入部５が基端方向にスライドするようにしてもよい。
【００９０】
図１３は、本変形例６に関わるガイドチューブ４Ｅの斜視図である。  
チューブ部材４ｃには、上述した口金２５が固定されており、螺子２６が、口金２５に設けられた孔に形成された螺子部に螺合している。よって、チューブ部材４ｃは、長手軸方向において動かないようにコイル部４ｂに対して固定されている。
【００９１】
また、チューブ部材４ｃの基端部には、口金２８が接着剤などにより固定されている。密着コイル２９が、口金２８の基端部に溶接などにより固定されている。  
固定部２１が、螺子などにより密着コイル２９の基端部に固定されている。固定部２１は、上述したように、挿入部５に対してチューブ部材４ｃを固定する。
すなわち、密着コイル２９は、チューブ部材４ｃの基端側部分に固定されている。密着コイル２９の先端は、チューブ部材４ｃの基端側部分に固定され、密着コイル２９の基端は、挿入部５に固定されている。
【００９２】
このような構成によれば、ガイドチューブ４が、被検体内に押し込まれているときに、パイプ部材４ａの先端部が、例えば、配管内で内壁の凸部に突き当たる場合がある。この場合、コイル部４ｂは、チューブ部材４ｃに対して螺子２６により固定されているので、パイプ部材４ａとチューブ部材４ｃ間のコイル部４ｂは、点線の矢印Ｂ１で示すように、縮む。コイル部４ｂが縮むと、挿入部５も基端方向に移動する。
【００９３】
挿入部５も基端方向に移動したとき、密着コイル２９の基端部分は、固定部２１と共に基端方向に引っ張れるので、密着コイル２９は、点線の矢印Ｂ２で示す方向に伸びる。
【００９４】
よって、パイプ部材４ａの先端部が、例えば、配管内で内壁の凸部に突き当たるなどしたときに、密着コイル２９は、挿入部５を保護すると共に、挿入部５を先端方向に戻そうとする力を発生する。
【００９５】
よって、本変形例によれば、ガイドチューブ４と挿入部５の挿入性が向上する。
（第２の実施の形態）
第１の実施の形態では、ガイドチューブ４のパイプ部材４ａは、チューブ部材４ｃの先端開口から先端方向に突出させることができるが、本実施の形態では、ガイドチューブは、チューブ部材４ｃの先端開口から先端方向に突出させたときに、コイル部を湾曲できるようにしている。
【００９６】
本実施の形態の内視鏡装置は、第１の実施の形態の内視鏡装置１と略同じ構成を有しているので、同じ構成要素については、同じ符号を付して説明は省略し、異なる構成要素についてのみ説明する。
【００９７】
図１４は、本実施の形態に関わるガイドチューブが装着された挿入部の斜視図である。  
本実施の形態のチューブ部材４ｃＣは、その長手軸方向に沿った孔３１が形成されている。孔３１は、チューブ部材４ｃＣの先端面の開口３１ａを有している。チューブ部材４ｃＣの基端部分には、口金３２が接着剤などにより固定されている。
【００９８】
チューブ部材４ｃＣは、樹脂製であり、図１４に示すように所定の方向への曲げ癖を有している。よって、チューブ部材４ｃＣは、外力が加わらない自然状態のときは、所定の方向に曲がった形状となっている。図１４では、チューブ部材４ｃＣの先端部分は、下側に向かって曲がっている。
【００９９】
チューブ部材４ｃＣは、外力が加われると、外力が加わった方向に曲がるが、外力が加わらなくなると、元の湾曲状態に戻る。
【０１００】
孔３１は、自然状態において曲がったチューブ部材４ｃＣの内側に沿って形成されている。すなわち、チューブ部材４ｃＣは、マルチルーメンチューブであり、図１４において、孔３１は、チューブ部材４ｃＣの下側の薄肉部に、チューブ部材４ｃＣの長手軸に沿って形成されている。
【０１０１】
口金３２には、円柱状の延出部３３が接続されている。延出部３３は、樹脂製であり、斜め基端方向に突出している。延出部３３は、受け部３３ａを有している。受け部３３ａの先端面は、把持部３４の一部の係合する形状を有する。
【０１０２】
延出部３３は、孔３３ｂを有している。孔３３ｂは、延出部３３の軸方向に沿って形成されている。
【０１０３】
孔３３ｂは、口金３２を通って、チューブ部材４ｃＣの孔３１と連通している。  
孔３１と３３ｂには、ステンレスなどの金属製のワイヤー３５が挿通される。ワイヤー３５の先端部には、パイプ部材３６が溶接などにより固定されている。
【０１０４】
パイプ部材３６は、パイプ部４ａ１の基端部に形成された凹部３７に係合される。  
ワイヤー３５の基端部は、把持部３４に固定される。例えば、ワイヤー３５の基端部に図示しないパイプ部材を溶接などにより固定し、そのパイプ部材を、把持部３４に形成された凹部などに係止させることにより、ワイヤー３５の基端部は、把持部３４に固定される。
【０１０５】
チューブ部材４ｃＣの曲がり癖が付いた方向に、検査者は、把持部３４を引っ張ることにより、ワイヤー３５により、パイプ部材４ａを曲げることができる。
以上のように、把持部３４とワイヤー３５は、螺旋部材であるコイル部４ｂを、チューブ部材４ｃＣに付けられた曲げ癖の曲げ方向と同じ方向へ湾曲させる湾曲機構を構成する。
【０１０６】
図１５は、ワイヤー３５が基端方向に引かれたときの、ガイドチューブ４Ｆの先端保護部の状態を示す図である。  
ワイヤー３５が基端方向に引かれることにより、ガイドチューブ４Ｆのコイル部４ｂが、チューブ部材４ｃＣの曲がり癖の方向と同じ方向に湾曲する。
【０１０７】
例えば、内径が大きく曲がった配管内を検査するときに、挿入部５は、曲がった配管内の、配管の曲がり方向とは反対方向の内壁に沿って進む場合が多い。しかし、チューブ部材４ｃＣの曲がり癖の付いた方向と、配管の曲がる方向を一致させて、挿入部５を挿入すると、挿入部５は、配管内に挿入し易い。
【０１０８】
さらに、ワイヤー３５を基端方向に引っ張ることにより、ガイドチューブ４Ｆを配管内の、配管の曲がり方向とは反対方向の内壁に向けることができる。
すなわち、本実施の形態のガイドチューブ４Ｆによれば、配管の曲がり方向側の内壁を観察することができる。
よって、本実施の形態によれば、第１の実施の形態と同様の効果を生じると共に、配管の曲がり方向側の内壁を観察することができる。という効果も生じる。
（変形例７）
第２の実施の形態では、ガイドチューブには、挿入部だけが挿通されるが、本ガイドチューブ内には、挿入部と一緒に、他の内蔵物も挿通してもよい。
【０１０９】
図１６は、本変形例に関わるワイヤーが基端方向に引かれたときの、ガイドチューブ４Ｇの先端保護部の状態を示す図である。
本変形例のガイドチューブ４Ｇは、チューブ部材４ｃと、他の内蔵物が挿通可能な別のチューブ部材４ｃＤを有する。よって、チューブ部材４ｃＤは、可撓性を有する。チューブ部材４ｃＤの内径は、チューブ部材４ｃの外形よりも大きい。
チューブ部材４ｃＤ内には、チューブ部材４ｃだけでなく、他の内蔵物として、エア用チューブ４１とドリル用チューブ４２も挿通されている。
【０１１０】
エア供給用あるいはエア吸引用のポンプ４１ａが、エア用チューブ４１の基端に接続されている。  
モータ４２ａが、ドリル用チューブ４２の基端に接続されている。可撓性を有する金属製の軸部材４２ｂが、ドリル用チューブ４２内に挿通され、先端部には、ドリル部材４２ｃが固定されている。なお、軸部材４２ｂの先端部に設けられたドリル部材４２ｃは、砥石部材でもよい。
【０１１１】
ガイドチューブ４Ｇは、パイプ部材４３を有する。パイプ部材４３には、３つの孔が形成されている。３つの孔には、パイプ部４ａ１と、２本の処置用チューブ、ここではエア用チューブ４１とドリル用チューブ４２とが、挿通されて固定されている。
【０１１２】
チューブ部材４ｃＤ内には、さらにワイヤー用チューブ部材４４も挿通されている。ワイヤー用チューブ部材４４内には、２本のワイヤー３５ａが挿通されている。  
２本のワイヤー３５ａの先端は、パイプ部材４３の基端部に互いに離れて固定されている。
【０１１３】
口金３２は、チューブ部材４ｃＤに固定されている。ワイヤー用チューブ部材４４は、延出部３３に接続されている。そして、２本のワイヤー３５ａの基端は、把持部３４に固定されている。  
よって、ユーザは、必要なときに、把持部３４を基端方向に引くと、ガイドチューブ４Ｇの先端は、図１６に示すように、所定の方向に湾曲する。
【０１１４】
さらに、ユーザは、ドリル部材４２ｃにより、被検体が鋳物であれば、内壁の残砂などの異物を削ったり、エア用チューブ４２の先端から、削った異物を吸引したり又は拭き飛ばしたりすることができる。
（第３の実施の形態）
第２の実施の形態のガイドチューブでは、ガイドチューブのチューブ部材は、曲げ癖を有しているが、チューブ部材に複数のスリットを設けることにより、チューブ部材が曲がり易くなるようにしてもよい。
【０１１５】
本実施の形態の内視鏡装置は、第１の実施の形態の内視鏡装置１と略同じ構成を有しているので、同じ構成要素については、同じ符号を付して説明は省略し、異なる構成要素についてのみ説明する。
【０１１６】
図１７は、本実施の形態に関わるガイドチューブ４Ｈの斜視図である。  
ガイドチューブ４Ｈのチューブ部材４ｃＥは、先端側部分に複数のスリット５１が形成されている。各スリット５１の孔は、チューブ部材４ｃＥの薄肉部を貫通する貫通スリットである。
【０１１７】
各スリット５１は、チューブ部材４ｃＥの長手軸に対して直交する方向に切り込みを入れるように形成される。図１７において、ガイドチューブ４Ｈを下方からみたときに、各スリット５１は、下方から切り込みが入れられたように形成されている。すなわち、各スリット５１は、チューブ部材４ｃＥの周方向に沿って形成される。
【０１１８】
複数のスリット５１の基端側には、口金５２が接着剤などの固定手段によりチューブ部材４ｃＥに固定されている。
【０１１９】
薄い金属製の板部材５３が、パイプ部４ａ１と口金５２に固定されている。具体的には、板部材５３の先端部分が、パイプ部４ａ１に対して溶接などにより固定され、板部材５３の基端部分が、口金５２に対して溶接などにより固定されている。
【０１２０】
さらに、板部材５３は、板部材５３の長手軸と、チューブ部材４ｃＥの長手軸が平行になるように、パイプ部４ａ１と口金５２に固定されている。  
さらに、板部材５３は、図１７において、ガイドチューブ４Ｈを下方から見たときに、各スリット５１の中央部に配置される。
【０１２１】
コイル部４ｂの基端部分は、チューブ部材４ｃＥ内に挿入されている。  
すなわち、複数のスリット５１は、チューブ部材４ｃＥの先端側部分に形成された、チューブ部材４ｃＥの長手軸方向に沿って、長手軸方向に直交する方向に形成されている。そして、可撓性を有する板部材５３は、チューブ部材４ｃＥの長手軸方向に対して複数のスリット５１側において、チューブ部材４ｃＥの複数のスリット５１より基端側部分と、パイプ部材４ａとを固定している。
図１８は、図１７のガイドチューブ４Ｈが被検体内に挿入された状態を示す図である。
【０１２２】
図１８に示すような、奥が狭くなっている螺旋状の管路５４の被検体内にガイドチューブ４Ｈを挿入するとき、板部材５３が管路５４の曲がり方向とは反対方向に位置するようにして、ガイドチューブ４Ｈを管路内に挿入する。
【０１２３】
ガイドチューブ４Ｈがこのような向きで管路内に挿入されると、チューブ部材４ｃＥの複数のスリット５１は、チューブ部材４ｃＥの長手軸方向におけるスリット５１の幅が広がりながら、ガイドチューブ４Ｈは、板部材５３が管路５４内の内壁５４ａ上を滑りながら、管路５４内に挿入される。
【０１２４】
このとき、板部材５３が管路５４の曲がり方向とは反対方向における外側の内壁５４ａに当たるが、パイプ部材４ａ、コイル部４ｂ及びチューブ部材４ｃＥの先端部分は、板部材５３により保護される。
【０１２５】
よって、本実施の形態によれば、第１の実施の形態と同様の効果を生じると共に、曲がった被検体内へ挿入性がよく、かつガイドチューブの先端部分が保護されるという効果も生じる。
（第４の実施の形態）
第１の実施の形態では、光学アダプタのサイズが大きいため、挿入部がガイドチューブに挿入された後に、光学アダプタが挿入部の先端部に装着されるが、本実施の形態では、光学アダプタが挿入部の先端部に装着された状態で、ガイドチューブが取り付けられるようにしている。
【０１２６】
本実施の形態の内視鏡装置は、第１の実施の形態の内視鏡装置１と略同じ構成を有しているので、同じ構成要素については、同じ符号を付して説明は省略し、異なる構成要素についてのみ説明する。
【０１２７】
図１９は、本実施の形態に関わるガイドチューブの斜視図である。  
本実施の形態のパイプ部材４ａの第１のパイプ部４ａ１Ａの先端部には、内向フランジ部６１が設けられている。
【０１２８】
挿入部５の先端部５ａに装着された光学アダプタ８Ａの外径ｄｍは、内向フランジ部６１の内径ｄｎよりも大きいが、ガイドチューブ４Ｉ内に挿入可能な大きさである。
【０１２９】
図１９において二点鎖線で示すように、光学アダプタ８Ａが装着された挿入部５がガイドチューブ４Ｉの基端部から挿入されると、光学アダプタ８Ａの先端面は、内向フランジ部６１に突き当たる。
よって、内向フランジ部６１は、挿入部５の先端部５ａをパイプ部材４ａの先端面から突出させないように動きを規制する規制部を構成する。
【０１３０】
口金２５が、接着剤などによりチューブ部材４ｃに固定されている。口金２５は、溶接などによりコイル部４ｂに固定されている。  
よって、本実施の形態のガイドチューブ４Ｉは、チューブ部材４ｃの基端から挿入部５を挿入することによって、挿入部５と共に、被検体内に挿入可能となる。
【０１３１】
なお、上述した実施の形態では、内向フランジ部６１が第１のパイプ部４ａ１Ａの先端部に設けられているが、第１のパイプ部４ａ１Ａの内径方向に突出する爪でもよい。  
図２０は、第１のパイプ部４ａ１Ａが、内径方向に突出する爪を有するガイドチューブ４Ｉ１の斜視図である。
【０１３２】
図２０に示すように、挿入部５は、ガイドチューブ４Ｉ１の第１のパイプ部４ａ１Ａの先端に設けられた２つのツメ６２により、先端方向への動きが規制される。  
次に、上述した４つの実施の形態に共通の変形例について説明する。
（変形例８）
上述した各実施の形態では、パイプ部材４ａは、金属製の円筒部材であり、コイル部４ｂは、金属製の疎巻きの断面が円の線材により構成されているが、パイプ部材４ａとコイル部４ｂは、螺旋管でもよい。
【０１３３】
図２１は、本変形例に関わる、パイプ部材４ａとコイル部４ｂの斜視図である。図２２は、パイプ部材４ａとコイル部４ｂの部分断面図である。  
本変形例１では、パイプ部材４ａは、ケーシングチューブなどの螺旋管４ａＡである。同様に、コイル部４ｂは、螺旋管４ａＡの基端部に固定されたケーシングチューブなどの螺旋管４ｂＡである。
【０１３４】
パイプ部材４ａの外径は、コイル部４ｂの外径よりも大きい。螺旋管４ａＡの基端側の内側に、螺旋管４ｂＡの先端側部分をねじ込むようにして嵌合させることによって、コイル部４ｂは、パイプ部材４ａに固定される。
【０１３５】
ケーシングチューブなどの螺旋管は、可撓性を有する。  
特に、螺旋管としてケーシングチューブを用いると、パイプ部材４ａとコイル部４ｂを、簡単でかつ安価に作成することができる。
【０１３６】
また、螺旋管４ａＡの外径を大きくすることによって、先端部５ａの観察窓を通した視野欠けを防止したり、先端部５ａからの照明光の被検体の内周面からの反射による、ハレーションを防止したりすることができるというメリットもある。
（変形例９）
上述した各実施の形態の形態では、固定部２１などを用いて、チューブ部材を挿入部５に対して固定したり、螺子などによって、チューブ部材をコイル部に固定したりしているが、一時的にチューブ部材をパイプ部に固定できるようにしてもよい。
【０１３７】
図２３は、本変形例に関わる、ガイドチューブ４Ｊの斜視図である。  
ガイドチューブ４Ｊのパイプ部７１は、テフロン（登録商標）などの樹脂製の軟性部材である。パイプ部７１の先端側部分の内径は、挿入部５の先端部５ａに装着された光学アダプタ８の外径よりもわずかに大きい。
【０１３８】
図２３において点線の矢印で示すように、パイプ部７１を先端方向に力を少し入れて、手で移動すると、パイプ部７１の先端部分の内側に光学アダプタ８の基端部分が入って、パイプ部７１が光学アダプタ８を軽く保持した状態になる。  
パイプ部７１の基端には、螺旋管のコイル部７２の先端部が接着剤などにより固定されている。なお、ここでは、コイル部７２に、螺旋管であるが、疎巻きコイルでもよい。
【０１３９】
このような構成によれば、ユーザが、ガイドチューブ４Ｊを基端方向に移動させると、パイプ部７１の先端部分が、光学アダプタ８を軽く保持した状態にすることができる。
【０１４０】
また、ユーザは、挿入部５を基端方向へ少し強く引けば、パイプ部７１の先端部分は、光学アダプタ８から離すことができる。  
よって、本変形例によれば、ガイドチューブを簡単に光学アダプタに対して固定したり、離したりすることができる。
なお、パイプ部材７１の内径を光学アダプタ８の先端部外径と略同一もしくは若干小さく設定することにより、パイプ部材７１の内周面が光学アダプタ８の外周面にぴったりと密着して、光学アダプタ８がパイプ部材７１に取り付けられるようにしてもよい。
【０１４１】
また、パイプ部７１が透明な部材であれば、照明光が透過するので、ハレーションを低減することもできる。
（変形例１０）
なお、パイプ部材４ａの内周面をハレーション防止用に、黒色の塗料を塗ってもよい。
【０１４２】
図２４は、本変形例１０に関わるパイプ部材４ａとコイル部４ｂの部分斜視図である。  
図２４に示すように、パイプ部４ａ１Ｃの内周面には、黒色の塗料８１が塗布されている。
【０１４３】
よって、先端部５ａからの照明光のハレーションを防止することができる。  
なお、図２４においては、図２３における斜め方向に向かう照明部の照明方向に、パイプ部４ａ１Ｃは、切り欠き部８２を有している。
【０１４４】
また、挿入部５の長手軸周りの動きを規制する複数のツメ８３が、パイプ部４ａ１Ｃの先端部に設けられている。挿入部５をガイドチューブ４Ｊに挿入したときに、一対のツメ８３が、図２３における突起部７３を挟むように位置する。
（変形例１１）
なお、パイプ部材４ａの第１のパイプ部４ａ１は、先端方向に向かって内径が大きくなるように広がった形状を有していてもよい。
【０１４５】
図２５は、本変形例１１に関わるパイプ部４ａ１Ｄとコイル部４ｂの部分斜視図である。  
パイプ部４ａ１Ｄは、先端方向に向かって広がる形状を有している。
本変形例１１によれば、得られる内視鏡画像におけるハレーションの発生を抑制することができる。
【０１４６】
以上のように、上述した各実施の形態及び各変形例によれば、内視鏡の挿入部の先端部を保護しつつ、挿入部の挿入性及び抜去性を向上させた内視鏡用ガイドチューブを提供することができる。
【０１４７】
本発明は、上述した実施の形態に限定されるものではなく、本発明の要旨を変えない範囲において、種々の変更、改変等が可能である。
【符号の説明】
【０１４８】
１  内視鏡装置、２  内視鏡、３  本体装置、３ａ  モニタ、４、４Ａ、４Ｂ、４Ｃ、４Ｄ、４Ｅ、４Ｆ、４Ｇ、４Ｈ、４Ｉ、４Ｉ１、４Ｊ  ガイドチューブ、４ａ  パイプ部材、４ａ１、４ａ１Ａ、４ａ１Ｃ、４ａ１Ｄ、４ａ２  パイプ部、４ａＡ  螺旋管、４ｂ、４ｂ１、４ｂ２、４ｂ３  コイル部、４ｂＡ  螺旋管、４ｃ  チューブ部材、４ｃ１  先端開口、４ｃＡ、４ｃＢ  チューブ部材、４ｃＢ１  円筒部、４ｃＢ２  螺旋溝部、４ｃＣ、４ｃＤ、４ｃＥ  チューブ部材、４ｃｘ  周溝、４ｄ１、４ｄ２  口金、４ｘ  凸部、５  挿入部、５ａ  先端部、５ｂ  湾曲部、５ｃ  可撓管部、６  操作部、６ａ  ジョイスティック、７  ユニバーサルコード、８、８Ａ  光学アダプタ、８ａ  アダプタ本体、８ｂ  取り付け部、９  観察窓、１０  照明部、２１  固定部、２２  把持部、２２ａ  雄螺子部、２２ｂ  延出部、２３  回動部、２３ａ  雌螺子部、２４  折れ止め部、２５  口金、２６  螺子、２７  コイル、２８  口金、２９  密着コイル、３１  孔、３１ａ  開口、３２  口金、３３  延出部、３３ａ  受け部、３３ｂ  孔、３４  把持部、３５、３５ａ  ワイヤー、３６  パイプ部材、３７  凹部、４１  エア用チューブ、４１ａ  ポンプ、４２  ドリル用チューブ、４２  エア用チューブ、４２ａ  モータ、４２ｂ  軸部材、４２ｃ  ドリル部材、４３  パイプ部材、４４  ワイヤー用チューブ部材、５１  スリット、５２  口金、５３  板部材、５４  管路、５４ａ  内壁、６１  内向フランジ部、６２  ツメ、７１  パイプ部、７２  コイル部、７３  突起部、８１  塗料、８２  切り欠き部、８３  ツメ。
【図１】
2020008649.tif 000003
【図２】
2020008649.tif 000004
【図３】
2020008649.tif 000005
【図４】
2020008649.tif 000006
【図５】
2020008649.tif 000007
【図６】
2020008649.tif 000008
【図７】
2020008649.tif 000009
【図８】
2020008649.tif 000010
【図９】
2020008649.tif 000011
【図１０】
2020008649.tif 000012
【図１１】
2020008649.tif 000013
【図１２】
2020008649.tif 000014
【図１３】
2020008649.tif 000015
【図１４】
2020008649.tif 000016
【図１５】
2020008649.tif 000017
【図１６】
2020008649.tif 000018
【図１７】
2020008649.tif 000019
【図１８】
2020008649.tif 000020
【図１９】
2020008649.tif 000021
【図２０】
2020008649.tif 000022
【図２１】
2020008649.tif 000023
【図２２】
2020008649.tif 000024
【図２３】
2020008649.tif 000025
【図２４】
2020008649.tif 000026
【図２５】
2020008649.tif 000027